(57)【要約】【課題】複数の文書の特定部分を効率的に参照することが可能な技術を提供する。【解決手段】電子文書管理装置は、複数の電子文書のそれぞれの内部のリンク先に関する「しおり情報」（リンク情報）ＬＤｉを取得し、当該複数の電子文書に関する各しおり情報ＬＤｉを統合して統合しおり情報（統合リンク情報）ＴＬを生成する。そして、電子文書管理装置は、統合しおり情報ＴＬを複数の電子文書のそれぞれに付加して、複数の電子文書ファイルＤＳｉを生成する。【選択図】図１
2011128945.tif 000002
【特許請求の範囲】
【請求項１】
複数の電子文書のそれぞれの内部のリンク先に関するリンク情報を取得するリンク情報取得手段と、
前記複数の電子文書に関する各リンク情報を統合して統合リンク情報を生成する統合手段と、
前記統合リンク情報を前記複数の電子文書のそれぞれに付加する付加手段と、
を備えることを特徴とする電子文書管理装置。
【請求項２】
請求項１に記載の電子文書管理装置において、
前記複数の電子文書のそれぞれのリンク表示欄に前記統合リンク情報の複数のリンク項目を表示させる表示制御手段、
をさらに備えることを特徴とする電子文書管理装置。
【請求項３】
請求項２に記載の電子文書管理装置において、
前記複数の電子文書は、第１の電子文書と第２の電子文書とを有し、
前記表示制御手段は、前記第１の電子文書内のリンク表示欄に表示されたリンク項目であって前記第２の電子文書内の特定の参照先に関するリンク項目の選択操作に応答して、前記第２の電子文書の前記特定の参照先を含むページを前記第２の電子文書の本文表示欄に表示させることを特徴とする電子文書管理装置。
【請求項４】
請求項３に記載の電子文書管理装置において、
前記表示制御手段は、前記選択操作に応答して、前記第１の電子文書の本文表示欄に前記選択操作の直前時点で表示されていたページに関連付けられているリンク項目を前記第２の電子文書のリンク表示欄に表示させることを特徴とする電子文書管理装置。
【請求項５】
請求項１ないし請求項４のいずれかに記載の電子文書管理装置において、
前記統合手段は、前記複数の電子文書ごとに異なる章番号を付与して、前記統合リンク情報の複数のリンク項目に関する目次情報を生成することを特徴とする電子文書管理装置。
【請求項６】
請求項１ないし請求項５のいずれかに記載の電子文書管理装置において、
前記統合手段は、前記統合リンク情報内の各リンク項目のリンク先を示すリンク先情報を、当該リンク先の電子文書の格納先フォルダ情報をも用いて特定して生成することを特徴とする電子文書管理装置。
【請求項７】
ａ）複数の電子文書のそれぞれの内部リンク先に関するリンク情報を取得するステップと、
ｂ）前記複数の電子文書に関する各リンク情報を統合して統合リンク情報を生成するステップと、
ｃ）前記統合リンク情報を前記複数の電子文書のそれぞれに付加する付加手段と、
をコンピュータに実行させるためのプログラム。
【請求項８】
各電子文書の内部リンク先に関するリンク情報が統合されて生成された統合リンク情報が付加された複数の電子文書を読み出す読出手段と、
前記複数の電子文書のそれぞれのリンク表示欄に前記統合リンク情報を表示させる表示制御手段と、
を備え、
前記複数の電子文書は、第１の電子文書と第２の電子文書とを有し、
前記表示制御手段は、
前記第１の電子文書内のリンク表示欄に表示されたリンク項目であって前記第２の電子文書内の特定の参照先に関するリンク項目の選択操作に応答して、前記第２の電子文書の前記特定の参照先を含むページを前記第２の電子文書の本文表示欄に表示させるとともに、
前記選択操作に応答して、前記第１の電子文書の本文表示欄に前記選択操作の直前時点で表示されていたページに関連付けられているリンク項目を前記第２の電子文書のリンク表示欄に表示させることを特徴とする電子文書管理装置。
【請求項９】
ａ）各電子文書の内部リンク先に関するリンク情報が統合された統合リンク情報が付加された複数の電子文書のうちの第１の電子文書を読み出すステップと、
ｂ）前記統合リンク情報の複数のリンク項目を前記第１の電子文書のリンク表示欄に表示させるステップと、
ｃ）前記第１の電子文書内の前記リンク表示欄に表示されたリンク項目であって前記複数の電子文書のうちの第２の電子文書内の特定の参照先に関するリンク項目の選択操作に応答して、前記第２の電子文書の前記特定の参照先を含むページを前記第２の電子文書の本文表示欄に表示させるステップと、
ｄ）前記選択操作に応答して、前記第１の電子文書の本文表示欄に前記選択操作の直前時点で表示されていたページに関連付けられているリンク項目を前記第２の電子文書のリンク表示欄に表示させるステップと、
をコンピュータに実行させるためのプログラム。
【発明の詳細な説明】
【技術分野】
【０００１】
本発明は、電子文書管理装置およびそれに関連する技術に関し、特に、複数の電子文書間での相互参照を容易にする技術に関する。
【背景技術】
【０００２】
電子文書内の特定部分を容易に参照して表示（ジャンプ表示）する技術が存在する。
【０００３】
たとえば、特許文献１においては、複数ページを有する電子冊子を表示する電子冊子表示システムが示されている。この電子冊子表示システムにおいては、まず、電子冊子の特定ページに対する目印情報が利用者の操作入力により付される。そして、当該目印情報に基づいて、当該目印情報に対応する当該特定ページの内容が表示される。
【０００４】
また、ＰＤＦ（Portable Document Format）文書などの電子文書においては、しおり項目をクリックすることによって、該当ページにジャンプする技術が存在する。具体的には、ＰＤＦ文書内のしおり表示欄に表示された複数のしおり項目（目次項目とも称する）の中から所望のしおり項目を選択する選択操作が行われる。そして、当該選択操作に応答して、当該所望のしおり項目に対応づけられたリンク先のページが、ＰＤＦ文書の本文表示欄に表示される。
【先行技術文献】
【特許文献】
【０００５】
【特許文献１】特開２００７−７２５７７号公報
【発明の概要】
【発明が解決しようとする課題】
【０００６】
しかしながら、上記のような特許文献１などに記載の技術は、或る１つの電子文書内の特定部分を容易に表示する技術であるため、異なる文書の特定部分を参照（表示）することは容易ではない。
【０００７】
たとえば、或るＰＤＦ文書の表示中に、関連する別のＰＤＦ文書の特定部分を表示するためには、次のような操作が行われる。具体的には、まず、操作者は、或るＰＤＦ文書に関連する所望の別文書（ＰＤＦ文書）を多数の電子文書の中から検索して当該別文書をオープンする操作を実行し、その上で、当該別文書内の特定部分に対応するリンク項目を選択する操作を行う。このような操作に応答して、当該別文書の本文表示欄に当該特定部分が表示される。これによれば、操作者は、或る文書とは別の文書内の特定部分を画面上に表示させることができる。ただし、このような操作は、ユーザにとって非常に煩わしいものである。
【０００８】
そこで、この発明の課題は、複数の文書の特定部分を効率的に参照することが可能な技術を提供することにある。
【課題を解決するための手段】
【０００９】
上記課題を解決すべく、請求項１の発明は、電子文書管理装置であって、複数の電子文書のそれぞれの内部のリンク先に関するリンク情報を取得するリンク情報取得手段と、前記複数の電子文書に関する各リンク情報を統合して統合リンク情報を生成する統合手段と、前記統合リンク情報を前記複数の電子文書のそれぞれに付加する付加手段と、を備えることを特徴とする。
【００１０】
請求項２の発明は、請求項１の発明に係る電子文書管理装置において、前記複数の電子文書のそれぞれのリンク表示欄に前記統合リンク情報の複数のリンク項目を表示させる表示制御手段、をさらに備えることを特徴とする。
【００１１】
請求項３の発明は、請求項２の発明に係る電子文書管理装置において、前記複数の電子文書は、第１の電子文書と第２の電子文書とを有し、前記表示制御手段は、前記第１の電子文書内のリンク表示欄に表示されたリンク項目であって前記第２の電子文書内の特定の参照先に関するリンク項目の選択操作に応答して、前記第２の電子文書の前記特定の参照先を含むページを前記第２の電子文書の本文表示欄に表示させることを特徴とする。
【００１２】
請求項４の発明は、請求項３の発明に係る電子文書管理装置において、前記表示制御手段は、前記選択操作に応答して、前記第１の電子文書の本文表示欄に前記選択操作の直前時点で表示されていたページに関連付けられているリンク項目を前記第２の電子文書のリンク表示欄に表示させることを特徴とする。
【００１３】
請求項５の発明は、請求項１ないし請求項４のいずれかの発明に係る電子文書管理装置において、前記統合手段は、前記複数の電子文書ごとに異なる章番号を付与して、前記統合リンク情報の複数のリンク項目に関する目次情報を生成することを特徴とする。
【００１４】
請求項６の発明は、請求項１ないし請求項５のいずれかの発明に係る電子文書管理装置において、前記統合手段は、前記統合リンク情報内の各リンク項目のリンク先を示すリンク先情報を、当該リンク先の電子文書の格納先フォルダ情報をも用いて特定して生成することを特徴とする。
【００１５】
請求項７の発明は、プログラムであって、ａ）複数の電子文書のそれぞれの内部リンク先に関するリンク情報を取得するステップと、ｂ）前記複数の電子文書に関する各リンク情報を統合して統合リンク情報を生成するステップと、ｃ）前記統合リンク情報を前記複数の電子文書のそれぞれに付加する付加手段と、をコンピュータに実行させるためのプログラムであることを特徴とする。
【００１６】
請求項８の発明は、電子文書管理装置であって、各電子文書の内部リンク先に関するリンク情報が統合されて生成された統合リンク情報が付加された複数の電子文書を読み出す読出手段と、前記複数の電子文書のそれぞれのリンク表示欄に前記統合リンク情報を表示させる表示制御手段と、を備え、前記複数の電子文書は、第１の電子文書と第２の電子文書とを有し、前記表示制御手段は、前記第１の電子文書内のリンク表示欄に表示されたリンク項目であって前記第２の電子文書内の特定の参照先に関するリンク項目の選択操作に応答して、前記第２の電子文書の前記特定の参照先を含むページを前記第２の電子文書の本文表示欄に表示させるとともに、前記選択操作に応答して、前記第１の電子文書の本文表示欄に前記選択操作の直前時点で表示されていたページに関連付けられているリンク項目を前記第２の電子文書のリンク表示欄に表示させることを特徴とする。
【００１７】
請求項９の発明は、プログラムであって、ａ）各電子文書の内部リンク先に関するリンク情報が統合された統合リンク情報が付加された複数の電子文書のうちの第１の電子文書を読み出すステップと、ｂ）前記統合リンク情報の複数のリンク項目を前記第１の電子文書のリンク表示欄に表示させるステップと、ｃ）前記第１の電子文書内の前記リンク表示欄に表示されたリンク項目であって前記複数の電子文書のうちの第２の電子文書内の特定の参照先に関するリンク項目の選択操作に応答して、前記第２の電子文書の前記特定の参照先を含むページを前記第２の電子文書の本文表示欄に表示させるステップと、ｄ）前記選択操作に応答して、前記第１の電子文書の本文表示欄に前記選択操作の直前時点で表示されていたページに関連付けられているリンク項目を前記第２の電子文書のリンク表示欄に表示させるステップと、をコンピュータに実行させるためのプログラムであることを特徴とする。
【発明の効果】
【００１８】
請求項１ないし請求項７に記載の発明によれば、複数の電子文書の各リンク情報が統合リンク情報に含まれ、且つ、当該統合リンク情報が複数の電子文書のそれぞれに付加されるので、複数の電子文書内の各リンク先を効率的に参照することが可能である。
【００１９】
特に、請求項４に記載の発明によれば、選択操作に応答して、第１の文書の本文表示欄に選択操作の直前時点で表示されていたページに対応するリンク項目が第２の電子文書のリンク表示欄に表示されるので、当該リンク項目を選択することによって再び第１の電子文書の元の表示ページを容易に表示させることが可能である。
【００２０】
また、請求項８および請求項９に記載の発明によれば、第１の電子文書内のリンク表示欄に表示されたリンク項目であって第２の電子文書内の特定の参照先に関するリンク項目の選択操作に応答して、第２の電子文書の特定の参照先を含むページが第２の電子文書の本文表示欄に表示されるとともに、第１の文書の本文表示欄に選択操作の直前時点で表示されていたページに対応するリンク項目が第２の電子文書のリンク表示欄に表示されるので、複数の電子文書内の各リンク先を効率的に相互に参照することが可能である。
【図面の簡単な説明】
【００２１】
【図１】電子文書作成動作を示す概念図である。
【図２】電子文書管理装置の概略構成を示すブロック図である。
【図３】電子文書管理装置のファイル作成動作を示すフローチャートである。
【図４】ファイル順序を指定する画面ＧＡを示す図である。
【図５】元の原稿（あるいはスキャン画像）を示す図である。
【図６】最終的に生成された電子文書ファイルを示す図である。
【図７】或る電子文書ファイルのしおり情報を示す図である。
【図８】別の電子文書ファイルのしおり情報を示す図である。
【図９】さらに別の電子文書ファイルのしおり情報を示す図である。
【図１０】統合しおり情報を示す図である。
【図１１】各しおり項目に関するリンク先の指定例を示す図である。
【図１２】最終的に生成された電子文書ファイルを示す図である。
【図１３】最終的に生成された別の電子文書ファイルを示す図である。
【図１４】最終的に生成された更に別の電子文書ファイルを示す図である。
【図１５】電子文書ファイルの表示動作に関するフローチャートである。
【図１６】スクロール後の表示例を示す図である。
【図１７】文書外へのジャンプ後の表示例を示す図である。
【図１８】元のページへの復帰ジャンプ後の表示例を示す図である。
【図１９】文書内へのジャンプ後の表示例を示す図である。
【図２０】各しおり項目に関するリンク先の指定例を示す図である。
【図２１】３つの電子文書ファイルがフォルダ構造を指定して格納される様子を示す図である。
【図２２】変形例に係る電子文書作成動作を示す概念図である。
【発明を実施するための形態】
【００２２】
以下、本発明の実施形態を図面に基づいて説明する。
【００２３】
＜１．装置概要＞
図１は、この実施形態に係る電子文書管理装置１０（図２参照）に関する動作を示す概念図である。電子文書管理装置１０は、ここでは、ＭＦＰ（マルチ・ファンクション・ペリフェラル（Multi Function Peripheral）として構成されている。電子文書管理装置１０は、各種の受信装置（ＭＦＰおよびコンピュータ等）５０との間で、ネットワークＮＷ（図２参照）を介したネットワーク通信を実行することが可能である。なお、ネットワークＮＷは、ＬＡＮ、ＷＡＮ、インターネットなどによって構成される。また、ネットワークＮＷへの接続形態は、有線接続であってもよく或いは無線接続であってもよい。
【００２４】
図１に示すように、この電子文書管理装置１０は、各原稿ＲＧｉ（図５参照）の各スキャン画像ＳＧｉに基づいて各電子文書ファイル（たとえばＰＤＦ（Portable Document Format）形式の電子文書ファイル）ＤＳｉを作成する。ここでは、当該電子文書ファイルＤＳｉとして、しおり表示欄（リンク表示欄あるいは目次表示欄とも称される）ＧＤと本文表示欄ＢＤとを有する形式のもの（たとえば、しおり付きＰＤＦファイル）を採用する（図１２等参照）。本文表示欄ＢＤは、電子文書ファイルＤＳｉの本文を表示する表示領域であり、しおり表示欄ＧＤは、電子文書ファイルＤＳｉのしおり情報（しおり項目等）を表示する表示領域である。
【００２５】
また、複数の電子文書ファイルＤＳｉは、それぞれ、共通の統合しおり情報（統合リンク情報とも称する）ＴＬ（図１，図１０）を有している。統合しおり情報ＴＬは、各電子文書ファイルＤＧｉ内のリンク先に関する複数のしおり情報（リンク情報とも称する）ＬＤｉ（図１，図７〜図９）を統合して生成される。各しおり情報ＬＤｉは、各スキャン画像ＳＧｉから抽出されて取得される。
【００２６】
後述するように、複数のしおり情報ＬＤｉが統合しおり情報ＴＬに含まれ、且つ、当該統合しおり情報ＴＬが各電子文書ファイルＤＳｉにそれぞれ付加されるので、複数の文書の特定部分を効率的に参照することが可能である。たとえば、電子文書ファイルＤＳ１に付加された統合しおり情報ＴＬに含まれるしおり情報ＬＤ３に基づいて電子文書ファイルＤＳ１から別の電子文書ファイルＤＳ３内のリンク先にジャンプすることが可能である。また、電子文書ファイルＤＳ３に付加された統合しおり情報ＴＬに含まれるしおり情報ＬＤ１に基づいて電子文書ファイルＤＳ３から電子文書ファイルＤＳ１内のリンク先にジャンプすることも可能である。すなわち、複数の文書相互間での往来を簡易に行うことが可能である。
【００２７】
図２は、電子文書管理装置１０の概略構成を示すブロック図である。
【００２８】
図２の機能ブロック図に示すように、この電子文書管理装置（ＭＦＰ）１０は、画像読取部２、印刷出力部３、通信部４、格納部５、入出力部６およびコントローラ９等を備えており、これらの各部を複合的に動作させることによって、各種の機能を実現する。
【００２９】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００３０】
印刷出力部３は、印刷対象に関するデータに基づいて紙などの各種の媒体に画像を印刷出力する出力部である。
【００３１】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、ＭＦＰ１０は、所望の相手先との間で各種のデータを授受することが可能である。また、ＭＦＰ１０は、この通信部４を用いて、電子メールの送受信を行うことも可能である。
【００３２】
格納部５は、ハードディスクドライブ（ＨＤＤ）等の記憶装置で構成される。格納部５は、複数のユーザボックスを有している。各ユーザボックスは、ＭＦＰ１０のユーザ毎に設けられる格納領域である。各ユーザボックスは、電子文書管理用のフォルダ領域として各ユーザにより利用される。また、格納部５は、「しおり共用ファイル作成用フォルダ」（後述）をも有している。
【００３３】
入出力部６は、ＭＦＰ１０に対する入力を受け付ける操作入力部６ａと、各種情報の表示出力を行う表示部６ｂとを備えている。詳細には、ＭＦＰ１０には操作パネル６３（不図示）が設けられている。この操作パネル（タッチスクリーン）６３は、液晶表示パネルに圧電センサ等が埋め込まれて構成されており、表示部６２の一部として機能するとともに、操作入力部６１の一部としても機能する。
【００３４】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００３５】
具体的には、図２に示すように、コントローラ９は、スキャン画像取得部１１とリンク情報生成部１２とリンク情報取得部１３とリンク情報統合部１４と統合リンク情報付加部１５と表示制御部１６とを含む各種の処理部を実現する。
【００３６】
スキャン画像取得部１１は、画像読取部２等により取得された複数（複数組）の原稿ＲＧｉに関する複数（複数組）のスキャン画像ＳＧｉを取得する処理部である。
【００３７】
なお、この実施形態では、複数の原稿ＲＧｉに関するスキャン画像ＳＧｉに基づいて特定形式（たとえばＰＤＦ形式）の複数の電子文書ファイルＤＧｉが予め生成されているものとする。そして、スキャン画像取得部１１は、予め生成された各電子文書ファイルＤＧｉの中から各スキャン画像ＳＧｉを再び抽出して取得するものとする。ただし、これに限定されず、スキャン画像取得部１１は、画像読取部２によるスキャン動作で生成されたスキャン画像ＳＧｉを即時に取得するようにしてもよい。
【００３８】
リンク情報生成部１２は、各電子文書ファイルＤＧｉの内部のリンク先（内部参照先）に関する内部リンク情報ＬＤｉを生成する。後述するように、リンク情報生成部１２は、各電子文書ファイルＤＧｉのスキャン画像ＳＧｉ等から、しおり項目（見出し項目あるいはリンク項目とも称する）を抽出するとともに、当該各見出し項目に対応する各リンク先（内部リンク先）を特定する。これにより、各電子文書ファイルＤＧｉの内部リンク先を示すリンク情報（内部リンク情報）ＬＤｉが電子文書ファイルＤＧｉごとに生成される。なお、各電子文書ファイルＤＧｉの「しおり項目」は、各電子文書ファイルＤＧｉの目次項目であるとも表現される。
【００３９】
リンク情報取得部１３は、リンク情報生成部１２により生成された（各電子文書ファイルＤＧｉの）各しおり情報ＬＤｉを取得する。
【００４０】
リンク情報統合部１４は、複数の電子文書ファイルＤＧｉに関する各リンク情報ＬＤｉを統合して統合しおり情報ＴＬを生成する。
【００４１】
統合リンク情報付加部１５は、リンク情報統合部１４により生成された統合しおり情報ＴＬを、複数の電子文書ファイルＤＧｉのそれぞれに付加して複数の電子文書ファイル（例えば、しおり付きＰＤＦファイル）ＤＳｉを作成する。
【００４２】
表示制御部１６は、表示部６ｂ等における表示動作を制御する処理部である。表示制御部１６は、各電子文書ファイルＤＳｉの本文情報を各電子文書ファイルＤＳｉの本文表示欄ＢＤ（ＢＤｉ）に表示させるとともに、各電子文書ファイルＤＳｉのしおり情報を各電子文書ファイルＤＳｉのしおり表示欄ＧＤ（ＧＤｉ）に表示させる。
【００４３】
なお、この電子文書管理装置１０は、表示部６ｂにおいて各電子文書ファイルＤＳｉ等を表示することが可能であることから、電子文書表示装置などとも表現される。
【００４４】
＜２．ファイル作成動作＞
図３は、ＭＦＰ（電子文書管理装置）１０におけるファイル作成動作を示すフローチャートである。また、図４は、ファイル順序を指定する画面ＧＡを示す図であり、図５は、元の原稿ＲＧｉ（あるいはスキャン画像ＳＧｉ）を示す図であり、図６は、最終的に生成される電子文書ファイルＤＳｉを示す図である。さらに、図７〜図９は、それぞれ、各電子文書ファイルＤＧｉ（ｉ＝１，２，３）のしおり情報ＬＤｉを示す図である。また、図１０は、統合しおり情報ＴＬを示す図であり、図１１は、各しおり項目に関するリンク先の指定例を示す図である。さらに、図１２〜図１４は、それぞれ、最終的に生成された各電子文書ファイルＤＳｉ（ｉ＝１，２，３）を示す図である。
【００４５】
これらの図を参照しながら、統合しおり情報ＴＬを有する電子文書ファイルＤＳｉの作成動作について詳細に説明する。
【００４６】
ここでは、図５に示すような３種類の原稿ＲＧｉ（ｉ＝１，２，３）に関するスキャン画像ＳＧｉに基づいて、複数の電子文書ファイルＤＧｉが予め生成されているものとする。詳細には、画像読取部２等により原稿ＲＧｉがスキャンされてスキャン画像ＳＧｉが生成されるとともに、当該スキャン画像ＳＧｉを用いて電子文書ファイルＤＧｉが生成されているものとする。また、電子文書ファイルＤＧｉは、電子文書管理装置１０内の格納部５に格納されているものとする。
【００４７】
そして、電子文書管理装置１０の操作者（操作ユーザ）は、電子文書管理装置１０内の格納部５に格納されている多数の電子文書ファイルの中から、複数（ここでは３つ）の電子文書ファイルＤＧｉを、１つのまとまりとして管理すべき電子文書ファイル群として指定する。具体的には、操作ユーザは、表示部６ｂに表示された画面ＧＡ（図４）を用いて、まず、生成済みの３つの電子文書ファイルＤＧｉを格納部５内から選択して指定する。詳細には、当該操作ユーザは、画面ＧＡ内の追加ボタンＢＮ１（図４）を押下してファイル選択用画面（不図示）を表示部６ｂに表示させ、所望の電子文書ファイルＤＧ１を追加ファイルとして選択する。この選択操作に応じて、電子文書ファイルＤＧ１のファイル名が画面ＧＡ内の左側のリスト欄ＬＣに追加表示される。その後、同様の動作が繰り返されることによって、他の２つの電子文書ファイルＤＧ３，ＤＧ２も順次に追加ファイルとして選択され、画面ＧＡ内の左側のリスト欄ＬＣに表示される。なお、画面ＧＡ内の削除ボタンＢＮ２を押下することによれば、選択された電子文書ファイルのファイル名をリスト欄ＬＣから削除することが可能である。
【００４８】
このような操作によって、３つの電子文書ファイルＤＳｉが、「しおり共用ファイル作成用フォルダ」内に格納されるべき旨が指定される。
【００４９】
さらに、操作ユーザは、ボタンＢＮ３，ＢＮ４を用いて、電子文書ファイル群内での各電子文書ファイルＤＧｉの順序を指定する。具体的には、まず、操作ユーザにより電子文書ファイルＤＧ１が選択されボタンＢＮ３が押下されると、当該電子文書ファイルＤＧ１のファイル名が左側のリスト欄ＬＣから右側のリスト欄ＲＣへ移動する。同様にして、電子文書ファイル群内での順位に従って、他の電子文書ファイルＤＧ２，ＤＧ３のファイル名が左側のリスト欄ＬＣから右側のリスト欄ＲＣへと順次に移動される。なお、ボタンＢＮ４を押下することによれば、選択中の電子文書ファイルのファイル名が逆に右側のリスト欄ＲＣから左側のリスト欄ＬＣへと移動され、順序指定に関する修正操作を行うことが可能である。
【００５０】
図４においては、このような順序指定操作によって、３つの電子文書ファイルＤＧ１，ＤＧ２，ＤＧ３が、電子文書ファイル群内での指定順位に従って、この順序で右側のリスト欄ＲＣに、上から順に配列される様子が示されている。
【００５１】
その後、ＯＫボタンＢＮ５が押下されると、図３のステップＳ１１以降の動作が実行される。
【００５２】
まず、ステップＳ１１〜Ｓ１３において、電子文書ファイル群内の複数（ここでは３つ）の電子文書ファイルＤＧｉ内から再抽出されたスキャン画像ＳＧｉに基づいて、各電子文書ファイルＤＧｉのしおり情報（内部リンク情報）ＬＤｉが抽出される。
【００５３】
詳細には、ステップＳ１１において、電子文書ファイルＤＧｉからスキャン画像ＳＧｉが再抽出され、ステップＳ１２において、スキャン画像ＳＧｉから「しおり情報ＬＤｉ」が抽出される。
【００５４】
ステップＳ１２においては、リンク情報生成部１２は、スキャン画像ＳＧｉ内に含まれる文字情報を光学的文字読取技術（文字認識技術）（具体的には、ＯＣＲ（Optical Character Reader）の技術）によって抽出するとともに、当該文字情報から所定の基準でしおり項目（見出し項目）を抽出する。詳細には、所定の見出し形式を有する文字列が、見出し項目の文字列として抽出される。所定の見出し形式を有する文字列としては、たとえば、文頭（左端）に数字（「１．」あるいは「１．１」等）を有する行の文字列（数字から始まる左詰め文字列）、または太字属性を有する一行の文字列（太字属性を有する左詰文字列）等が例示される。この結果、リンク情報生成部１２は、例えば、スキャン画像ＳＧ１（図５参照）から、「業務マニュアル（導入編）」、「１．本マニュアルの目的」、および「２．最も重要な点」などの文字列をしおり項目（見出し項目）として抽出する。
【００５５】
また、各しおり項目は、階層化されて取得される。具体的には、「業務マニュアル（導入編）」のしおり項目が最上位階層（第１階層）のしおり項目として取得され、「１．本マニュアルの目的」、および「２．最も重要な点」などのしおり項目は、次順位の階層（第２階層）のしおり項目として取得される。
【００５６】
また、リンク情報生成部１２は、各しおり項目に対応する各リンク先（詳細には、各しおり項目に対応する内容の表示ページ）を特定して、しおり情報ＬＤｉを生成する。具体的には、各しおり項目（見出し項目）の当該文字列の配置場所（位置）を示す位置情報（詳細には、電子文書ファイルＤＧｉ内におけるページ番号および行番号）が、当該見出し項目に対応するリンク先の情報として取得される。たとえば、しおり項目「業務マニュアル（導入編）」のリンク先は「電子文書ファイルＤＳ１の第１ページの第１行」であるとの情報が、当該しおり項目に対応するリンク先の情報として取得される。同様に、しおり項目「１．本マニュアルの目的」のリンク先は「電子文書ファイルＤＳ１の第１ページの第２行」であるとの情報が、当該しおり項目に対応するリンク先の情報として取得される。
【００５７】
また、ステップＳ１２においては、しおり情報ＬＤｉがリンク情報生成部１２によって上記のように生成されるとともに、リンク情報取得部１３によって当該しおり情報ＬＤｉが取得される。
【００５８】
上記のような処理（ステップＳ１１，Ｓ１２）は、全てのスキャン画像ＳＧｉについて当該処理が終了したことがステップＳ１３で判定されるまで、繰り返される。この結果、各スキャン画像ＳＧｉからそれぞれ、しおり情報ＬＤｉが抽出されて取得される。具体的には、しおり情報ＬＤ１（図７）がスキャン画像ＳＧ１から抽出されて取得され、しおり情報ＬＤ２（図８）がスキャン画像ＳＧ２から抽出されて取得され、しおり情報ＬＤ３（図９）がスキャン画像ＳＧ３から抽出されて取得される。
【００５９】
その後、ステップＳ１４において、これらのしおり情報ＬＤ１，ＬＤ２，ＬＤ２に基づいて統合しおり情報（図１０）ＴＬが生成される。統合しおり情報ＴＬは、３つのしおり情報ＬＤ１，ＬＤ２，ＬＤ２を統合して生成される。
【００６０】
統合しおり情報ＴＬ内のしおり項目に関する階層構造は、各しおり情報ＬＤｉ内のしおり項目に関する階層構造の情報を利用して、再構築される。
【００６１】
具体的には、統合しおり情報ＴＬにおいては、各電子文書ファイルＤＧｉ（ＤＳｉ）の文書が互いに異なる章の文書として取り扱われる。詳細には、リンク情報統合部１４は、統合しおり情報ＴＬにおいて、電子文書ファイルＤＧ１（ＤＳ１）のリンク項目には「第１章」の目次を付与する。同様に、電子文書ファイルＤＧ２（ＤＳ２）のリンク項目には第１章とは別の章（より具体的には、第１章の次の章、すなわち「第２章」）の目次が付与され、電子文書ファイルＤＳ３のリンク項目にはさらに別の章（「第３章」）の目次が付与される。たとえば、電子文書ファイルＤＧ１の最上位のしおり項目「業務マニュアル（導入編）」は、「１．業務マニュアル（導入編）」に修正される。また、電子文書ファイルＤＧ２の最上位のしおり項目「業務マニュアル（基礎編）」は、「２．業務マニュアル（基礎編）」に修正される。
【００６２】
また、統合しおり情報ＴＬにおいては、元のしおり情報ＬＤｉにおける階層レベルが１つずつ下位方向にシフトする。具体的には、各しおり情報ＬＤｉ内での元の「章」は、統合しおり情報ＴＬ内での「節」（１つ下位階層の目次レベル）に変更される。たとえば、しおり情報ＬＤ１内のしおり項目「１．本マニュアルの目的」（第１章）は、しおり項目「１．１  本マニュアルの目的」（第１章第１節）に変更される。また、しおり情報ＬＤ３内のしおり項目「４．  ファイル管理」（第４章）は、しおり項目「３．４  ファイル管理」（第３章第４節）に変更される。
【００６３】
このように、リンク情報統合部１４は、各電子文書ファイルＤＳｉのしおり情報ＬＤｉに含まれる「しおり項目」の目次項目番号（順序番号）を更新して、統合しおり情報ＴＬ内の目次情報等を生成する。詳細には、リンク情報統合部１４は、複数の電子文書ファイルＤＳｉごとに異なる章番号を付与して、統合しおり情報ＴＬの複数のリンク項目に関する目次情報を生成する。また、生成（変更）された目次項目は、本文内の見出し項目の名称にも反映される。たとえば、図６（図１２も参照）に示すように、本文内における変更前の項目「業務マニュアル（導入編）」（図５）は、「１．業務マニュアル（導入編）」に変更される。同様に、本文内における変更前の項目「１．本マニュアルの目的」は、「１．１  本マニュアルの目的」に変更される。
【００６４】
また、図１１に示すように、各しおり項目のリンク先を示す情報ＬＡは、たとえば、「文書ファイル名」と「ページ番号」と「行番号」とを含む情報として構成される。この情報ＬＡは、しおり項目に付随して統合しおり情報ＴＬ内に格納されている。ただし、当該情報ＬＡは、非可視化された状態（見えない状態）で、当該しおり項目に付随している。なお、後述するように、操作ユーザによって、しおり表示欄ＧＤの或るしおり項目が選択されると、上記の情報ＬＡに基づいてリンク先の位置が特定され、当該しおり項目のリンク先の内容（本文）が当該選択操作に応じて本文表示欄ＢＤに表示される。すなわち、当該選択操作に応じて、対応ページの対応位置（行）にジャンプする動作が実行される。
【００６５】
ステップＳ１４の処理によって統合しおり情報ＴＬが作成されると、ステップＳ１５に進む。ステップＳ１５においては、統合リンク情報付加部１５は、各電子文書ファイルＤＧｉに対して、それぞれ、統合しおり情報ＴＬを付加し、各電子文書ファイルＤＳｉを作成する。このような付加動作は、全ての電子文書ファイルＤＧｉ（ＤＳｉ）に関して行われる。その結果、図１２、図１３および図１４に示すような、各電子文書ファイルＤＳ１，ＤＳ２，ＤＳ３が作成される（図６も参照）。
【００６６】
＜３．ファイル閲覧動作＞
つぎに、各電子文書ファイルＤＳｉの閲覧動作について図１５のフローチャートを参照しながら説明する。図１５は、電子文書ファイルＤＳｉの表示動作（閲覧動作）の一部を示すフローチャートである。図１５の表示動作は、表示制御部１６等により実行される。
【００６７】
図１２に示すように、電子文書管理装置（ＭＦＰ）１０において、電子文書ファイルＤＳ１を「開く」ための操作が操作者により行われると、当該電子文書ファイルＤＳ１が表示部６ｂに表示される。詳細には、電子文書ファイルＤＳ１を表示するためのウインドウ（電子文書ファイルＤＳ１の表示ウインドウ）において、しおり表示欄ＧＤと本文表示欄ＢＤとが表示される。
【００６８】
本文表示欄ＢＤには、電子文書ファイルＤＳ１の本文が表示されている。具体的には、電子文書ファイルＤＳ１の冒頭部分の文章（「１．業務マニュアル（導入編）」...で始まる文章）が上から下へ向けて当該本文表示欄ＢＤに表示されている。
【００６９】
また、しおり表示欄ＧＤには、電子文書ファイルＤＳ１の統合しおり情報ＴＬ内の複数のしおり項目が階層化されて表示されている。統合しおり情報ＴＬ内の複数のしおり項目は、しおり表示欄ＧＤの上側から下側に向けて所定の順序（章番号順（項目番号順））に従って表示されている。具体的には、複数の電子文書ファイルＤＳ１，ＤＳ２，ＤＳ３のしおり情報ＴＬ１，ＴＬ２，ＴＬ３の全てを含む統合しおり情報ＴＬの内容が上から下に向けて順次に表示されている。
【００７０】
また、しおり表示欄ＧＤの右側のスクロールバーＳＢを操作することにより、しおり表示欄ＧＤの表示をスクロールさせることができる。これにより、しおり表示欄ＧＤの上下方向（縦方向）の長さの都合上、全ての情報を一時点で表示することができない場合においても、見えていなかった「しおり項目」をスクロールにより表示することが可能である。
【００７１】
図１６は、スクロールバーＳＢを操作することによって、比較的下側のしおり情報がしおり表示欄ＧＤに表示される様子を示す図である。図１６のしおり表示欄ＧＤには、電子文書ファイルＤＳ２のしおり情報ＴＬ２と電子文書ファイルＤＳ３のしおり情報ＴＬ３とが主に表示されている。
【００７２】
操作者は、このようなスクロールバーＳＢの操作により所望のしおり項目をしおり表示欄ＧＤに表示させた上で、当該所望のしおり項目を選択することによって、当該しおり項目に対応するページを表示部６ｂに表示させることができる。
【００７３】
操作ユーザによって所望のしおり項目の選択操作（例えば操作パネル６３の該当しおり項目部分をタッチする操作）が実行されると、電子文書管理装置１０は、図１５のフローチャートに示される動作を実行する。
【００７４】
まず、ステップＳ３１において、選択された「しおり項目」（被選択しおり項目）のリンク先が、同じファイル内（ファイル内部）であるか別のファイル（ファイル外部）であるかが判定される。この判定動作は、現文書ファイルのファイル名と被選択しおり項目に対応する情報ＬＡ（図１１）に示されているリンク先文書のファイル名とに基づいて実行される。
【００７５】
被選択しおり項目のリンク先が同一ファイル内である場合には、ステップＳ３６に進む。ステップＳ３６においては、被選択しおり項目のリンク先ページ（当該しおり項目に関連づけられたページ）にジャンプする処理が実行される。具体的には、ユーザの選択操作に応じて、被選択しおり項目の対応ページが本文表示欄ＢＤに表示される。たとえば、図１２において、しおり項目「１．３  フロー概要」が選択された場合には、図１９に示すように、しおり項目「１．３  フロー概要」に対応する本文のページが本文表示欄ＢＤに表示される。このようなジャンプ処理（リンク先の表示処理）は、しおり項目に対応づけられたリンク先情報ＬＡ（図１１）に基づいて実行される。
【００７６】
一方、被選択しおり項目のリンク先がファイルの外部である場合には、ステップＳ３２に進む。ここでは、図１６のしおり表示欄ＧＤにおいて、しおり項目「３．４  ファイル管理」が選択された状況を想定する。しおり項目「３．４  ファイル管理」は、電子文書ファイルＤＳ１内のしおり表示欄（リンク表示欄）ＧＤに表示されたしおり項目（リンク項目）であり且つ別の電子文書ファイルＤＳ３内の特定のリンク先（参照先）を参照すべき旨を示すしおり項目であるとも表現される。
【００７７】
ステップＳ３２，Ｓ３３，Ｓ３４においては、ユーザの選択操作に応じて、被選択しおり項目のリンク先ページ（特に外部ファイル内のページ）にジャンプする処理等が実行される。
【００７８】
具体的には、まず、ステップＳ３２において、被選択しおり項目のリンク先の別ファイル（電子文書ファイルＤＳ３）を「開く」処理が実行される。これにより、電子文書ファイルＤＳ３の内容等が、電子文書ファイルＤＳ３の表示ウインドウ内に表示される。
【００７９】
次のステップＳ３３においては、当該別ファイル（電子文書ファイルＤＳ３）内のリンク先（参照先）を含むページが本文表示欄ＢＤに表示される（図１７参照）。具体的には、図１７に示すように、被選択しおり項目「３．４  ファイル管理」に対応する本文のページが、電子文書ファイルＤＳ３の本文表示欄ＢＤに表示される。このようなリンク先の表示処理（ジャンプ処理とも称される）は、被選択しおり項目に対応づけられたリンク先情報ＬＡ（図１１）に基づいて実行される。
【００８０】
このようにして、しおり項目「３．４  ファイル管理」の選択操作に応答して、別電子文書ファイルＤＳ３の特定の参照先を含むページが、電子文書ファイルＤＳ３の表示ウインドウ内の本文表示欄ＢＤに表示される。なお、電子文書ファイルＤＳ３の表示ウインドウは、電子文書ファイルＤＳ１の表示ウインドウと同じであってもよく、電子文書ファイルＤＳ１の表示ウインドウとは別に新たに生成されるものであってもよい。
【００８１】
さらに、ステップＳ３４においては、電子文書ファイルＤＳ３のしおり表示欄ＧＤに、ジャンプ元のページに対応する項目が表示される。詳細には、電子文書ファイルＤＳ１の本文表示欄ＢＤにユーザの選択操作の直前時点で表示されていたページ（具体的には、電子文書ファイルＤＳ１の第１ページ）に関連付けられているリンク項目（具体的には、電子文書ファイルＤＳ１の「１．業務マニュアル（導入編）」および「１．１  本マニュアルの目的」等）が、電子文書ファイルＤＳ３のしおり表示欄ＧＤに表示される（図１７参照）。
【００８２】
以上のような表示動作が、ユーザの選択操作に応答して実行される。
【００８３】
また、図１７においては、ジャンプ元のページに対応するリンク項目（しおり項目）がしおり表示欄ＧＤに表示されている。したがって、操作ユーザは、当該リンク項目（たとえば、「１．業務マニュアル（導入編）」）を選択することによって、再び電子文書ファイルＤＳ１の元の表示ページ（図１８）を容易に表示させることが可能である。
【００８４】
具体的には、電子文書ファイルＤＳ３のしおり表示欄ＧＤ名のしおり項目「１．業務マニュアル（導入編）」）に対する選択操作が行われると、図１５の動作が実行され、図１８のような表示画面が表示部６ｂ（操作パネル６３）に表示される。詳細には、電子文書ファイルＤＳ１の本文表示欄ＢＤにおいて、「１．業務マニュアル（導入編）」に対応するページが再び表示される。また、電子文書ファイルＤＳ１のしおり表示欄ＧＤにおいては、しおり項目「３．４  ファイル管理」を含む複数のしおり項目が表示される。そのため、再度のしおり項目「３．４  ファイル管理」の選択操作を容易に行うことが可能であり、当該選択操作に応じて、もう一度、電子文書ファイルＤＳ３の元の表示ページ（図１７）を容易に表示させることも可能である。
【００８５】
なお、ここでは、電子文書管理装置（ＭＦＰ）１０において、電子文書ファイルＤＳｉが閲覧がされる場合を例示したが、これに限定されない。たとえば、コンピュータ５０において実行されるビューワソフト（電子文書ファイルＤＳｉの閲覧用ソフトウエア）を用いて、電子文書ファイルＤＳｉが閲覧される場合にも、上記の思想を適用することができる。この場合には、コンピュータ５０の操作ユーザによる所望のしおり項目の選択操作（例えばマウス操作等）に応答して、図１５のフローチャートの動作と同様の動作がコンピュータ５０において実行されればよい。
【００８６】
＜４．ファイルコピー動作＞
上記のようにして作成された電子文書ファイルＤＳｉは、電子文書管理装置１０から別のコンピュータ５０等へコピーあるいは移動され得る。具体的には、操作ユーザは、電子文書管理装置（ＭＦＰ）１０の操作入力部６ａ等を操作して、電子文書ファイルＤＳｉ（ｉ＝１，２，３）を別のコンピュータ５０にコピーすることが可能である。なお、複数の電子文書ファイルＤＳｉは、コンピュータ５０の記憶部における同一フォルダ内に纏めて格納されてもよく、コンピュータ５０の記憶部において互いに異なるフォルダ内に分散して格納されてもよい。
【００８７】
電子文書管理装置１０は、３つの電子文書ファイルＤＳ１，ＤＳ２，ＤＳ３を当該別のコンピュータ５０にコピーする際には、次のようにして各電子文書ファイルＤＳｉ内の統合しおり情報ＴＬ（ＴＬｉ）を修正した上でコピー動作を実行する。
【００８８】
具体的には、図２０に示すように、リンク先を示す情報ＬＡとして、図１１に示すような元の情報（すなわち「文書ファイル名」と「ページ番号」と「行番号」）に加えて、「フォルダ名」がさらに付加される。この「フォルダ名」は、リンク先の電子文書ファイルＤＳｉが格納されるフォルダの名称である。
【００８９】
このフォルダ名は、相対的な指定手法（相対パス指定）で付与されることが好ましい。
【００９０】
ここでは、３つの電子文書ファイルＤＳ１，ＤＳ２，ＤＳ３が図２１に示すようなフォルダ構造（フォルダ構成）を指定して格納される場合を想定する。図２１においては、３つの電子文書ファイルＤＳ１，ＤＳ２，ＤＳ３のうち、電子文書ファイルＤＳ１，ＤＳ２が所定の親フォルダＦＤ１内に格納され、電子文書ファイルＤＳ３が当該親フォルダＦＤ１の下の子フォルダ（サブフォルダ）ＦＤ２内に格納されることが示されている。
【００９１】
この場合には、各電子文書ファイルＤＳｉの各統合しおり情報ＴＬ（ＴＬｉ）の各しおり項目に関して、次のようなフォルダ名を、リンク先文書の格納先フォルダ情報として付与すればよい。
【００９２】
まず、電子ファイルＤＳ１の統合しおり情報ＴＬにおいては、同一フォルダＦＤ１に格納された電子文書ファイルＤＳ１，ＤＳ２内のリンク先に関するフォルダ名（リンク先文書ＤＳ１，ＤＳ２の格納先フォルダ情報）は、カレントフォルダを示す記号（たとえば「.\」）で表現されればよい。一方、子フォルダＦＤ２に格納された電子文書ファイルＤＳ３内のリンク先に関するフォルダ名（リンク先文書ＤＳ３の格納先フォルダ情報）は、カレントフォルダを示す記号にさらに子フォルダＦＤ２の名称を付した情報（たとえば、「.\フォルダＦＤ２」）で表現されればよい。
【００９３】
電子ファイルＤＳ２の統合しおり情報ＴＬにおいても同様である。
【００９４】
これに対して、電子ファイルＤＳ３の統合しおり情報ＴＬにおいては、親フォルダＦＤ１に格納された電子文書ファイルＤＳ１，ＤＳ２内のリンク先を示すフォルダ名（リンク先文書ＤＳ１，ＤＳ２の格納先フォルダ情報）は、親フォルダを示す記号（たとえば「..\」（ダブルドット＋「￥」））で表現されればよい。一方、同一フォルダＦＤ２に格納された電子文書ファイルＤＳ３内のリンク先に関するフォルダ名（リンク先文書ＤＳ３の格納先フォルダ情報）は、カレントフォルダを示す記号（たとえば、「.\」（シングルドット＋「￥」））で表現されればよい。
【００９５】
以上のように、統合しおり情報ＴＬ内の各リンク項目のリンク先を示すリンク先情報ＬＡは、当該リンク先の電子文書の格納先フォルダ情報をも用いて特定されて生成される。これによれば、統括的に管理したい対象ファイルである３つの電子文書ファイルＤＳ１，ＤＳ２，ＤＳ３が、コンピュータ５０内の異なるフォルダに配置される場合においても、複数の電子文書ファイルＤＳｉの相互間で相互に参照することが可能である。すなわち、複数の電子文書ファイルの保存先の自由度を確保することと当該複数の電子文書ファイルの相互間での参照を行うこととを両立させることが可能である。
【００９６】
また、同様に、電子文書管理装置１０は、３つの電子文書ファイルＤＳ１，ＤＳ２，ＤＳ３を或るコンピュータ５０に移動する際にも、上記のようにしてリンク情報を更新した上で移動動作を実行する。
【００９７】
なお、ここでは、電子文書管理装置（ＭＦＰ）１０を操作して、電子文書ファイルＤＳｉ（ｉ＝１，２，３）を別のコンピュータ５０にコピーする場合等を例示したが、これに限定されない。たとえば、コンピュータ５０において実行されるファイル管理ソフト（電子文書ファイルＤＳｉの管理用ソフトウエア）を用いて、電子文書ファイルＤＳｉがコピーあるいは移動される場合にも、上記の思想を適用することができる。
【００９８】
＜５．本実施形態における効果＞
以上のような動作によれば、複数の電子文書ファイルＤＳｉの各しおり情報ＬＤｉが統合しおり情報ＴＬに含まれ、且つ、当該統合しおり情報ＴＬが複数の電子文書ファイルＤＳｉのそれぞれに付加されるので、複数の電子文書ファイルＤＳｉ内の各リンク先を効率的に参照することが可能である。したがって、ユーザの利便性を向上させることが可能である。
【００９９】
特に、上記の態様においては、複数の電子文書の相互間での参照が容易である。例えば、電子文書ファイルＤＳ１に付加された統合しおり情報ＴＬに含まれるリンク情報ＴＬ３に基づいて、電子文書ファイルＤＳ１から電子文書ファイルＤＳ３内のリンク先にジャンプすること（図１６→図１７）が可能である。また、逆に、電子文書ファイルＤＳ３に付加された統合しおり情報ＴＬに含まれるしおり情報ＬＤ１に基づいて、電子文書ファイルＤＳ３から電子文書ファイルＤＳ１内のリンク先にジャンプすること（図１７→図１６）も可能である。端的に言えば、複数の文書相互間での往来の自由度が高い。
【０１００】
また、上記の態様においては、各電子文書ファイルＤＳｉは、別個のファイルとして管理されている。これに対して、複数の電子文書ファイルＤＳｉを１つのファイルに纏めて管理することも考えられる。しかしながら、その場合には、当該１つのファイルのファイルサイズが増大するため、或る一部分のみを参照したい場合であっても、ファイルオープンに要する時間が増大するなどの問題が生じ得る。一方、上記の態様においては、ファイルが分散して格納され、或る部分を含むファイルのサイズの増大が回避されるため、当該部分を閲覧する際に、ファイルオープンに要する時間の増大を抑制できる。すなわち、各電子文書ファイルＤＳｉの取り扱いの容易性を確保することもできる。
【０１０１】
また、複数の電子文書ファイルＤＳｉは、１つのファイルに纏められておらず、別個のファイルとして管理されているため、複数の電子文書ファイルＤＳｉの組み合わせを変更して、新たな統合しおり情報ＴＬが付加された１つの電子文書ファイル群を作成することも可能である。たとえば、電子文書ファイルＤＳ１，ＤＳ２のみを組み合わせて管理すること、電子文書ファイルＤＳ１，ＤＳ３のみを組み合わせて管理すること、あるいは、電子文書ファイルＤＳ１，ＤＳ２と更に別の電子文書ファイルＤＳ４とを組み合わせて管理することなどが可能である。そして、それぞれの組合せに応じた新たな統合しおり情報ＴＬが各電子文書ファイルＤＳｉに付加されればよい。これによれば、操作ユーザごとに定められた適宜の組み合わせで、複数の電子文書を管理するとともに、当該複数の電子文書の相互間での相互参照が容易である。
【０１０２】
＜６．変形例等＞
以上、この発明の実施の形態について説明したが、この発明は上記説明した内容のものに限定されるものではない。
【０１０３】
たとえば、上記実施形態においては、スキャン画像ＳＧｉが予め生成されている場合について説明したが、これに限定されない。具体的には、元の複数の原稿ＲＧｉのスキャン動作をユーザの操作に応じて順次に実行してスキャン画像ＳＧｉを作成し、その後、引き続いて上記のような処理（図３）をさらに実行するようにしてもよい。この場合には、複数の原稿ＲＧｉのスキャン順序に従って、しおり項目の順序が決定されることが好ましい。
【０１０４】
また、上記実施形態においては、複数の電子文書に関する統合しおり情報ＴＬを一括的に作成する場合（図３）を例示したが、これに限定されない。たとえば、当該統合しおり情報ＴＬを各スキャン画像ＳＧｉの取得時点で徐々に作成していくようにしてもよい。具体的には、元の複数の原稿ＲＧｉのスキャン動作がユーザの操作に応じて順次に実行される場合において、第ｉ番目のスキャン画像ＳＧｉを作成するとともに、当該スキャン画像ＳＧｉからしおり情報ＬＤｉを抽出し、第ｉ番目までのしおり情報ＬＤｉを含む統合しおり情報ＴＬを暫定的に作成する。同様の動作を繰り返すことによって、全てのスキャン画像ＳＧｉの各しおり情報ＬＤｉを含む統合しおり情報ＴＬを作成するようにしてもよい。
【０１０５】
また、上記実施形態においては、スキャン画像ＳＧｉに基づいてＰＤＦファイルＤＳｉが作成される場合を例示したが、これに限定されない。たとえば、スキャン動作によらずに所定のアプリケーションソフトウエアプログラム（文書作成ソフトウエア等）を用いて電子的に作成された複数のしおり付きＰＤＦファイルＤＭｉに基づいて、上述の複数のしおり付きＰＤＦファイルＤＳｉが作成されるようにしてもよい。具体的には、図２２に示すように、電子文書管理装置１０は、複数のＰＤＦファイルＤＭｉから各しおり情報ＬＤｉを抽出して統合しおり情報ＴＬを作成し、当該統合しおり情報ＴＬを各ＰＤＦファイルＤＭｉにそれぞれ付加するようにしてもよい。
【符号の説明】
【０１０６】
１０  ＭＦＰ（電子文書管理装置）
５０  コンピュータ
ＢＤ  本文表示欄
ＤＧｉ  電子文書ファイル
ＤＭｉ  しおり付き電子文書ファイル
ＤＳｉ  （統合しおり情報ＴＬ付き）電子文書ファイル
ＧＤ  しおり表示欄
ＬＤｉ  しおり情報（内部リンク情報）
ＳＧｉ  スキャン画像
ＴＬ  統合しおり情報（統合リンク情報）
【図１】
2011128945.tif 000003
【図２】
2011128945.tif 000004
【図３】
2011128945.tif 000005
【図４】
2011128945.tif 000006
【図５】
2011128945.tif 000007
【図６】
2011128945.tif 000008
【図７】
2011128945.tif 000009
【図８】
2011128945.tif 000010
【図９】
2011128945.tif 000011
【図１０】
2011128945.tif 000012
【図１１】
2011128945.tif 000013
【図１２】
2011128945.tif 000014
【図１３】
2011128945.tif 000015
【図１４】
2011128945.tif 000016
【図１５】
2011128945.tif 000017
【図１６】
2011128945.tif 000018
【図１７】
2011128945.tif 000019
【図１８】
2011128945.tif 000020
【図１９】
2011128945.tif 000021
【図２０】
2011128945.tif 000022
【図２１】
2011128945.tif 000023
【図２２】
2011128945.tif 000024